(57)【要約】【課題】スライド呼出を行うナースコールシステムにおいて、看護師ごとの看護品質を評価する際の指標として有用な情報を得ることができるようにする。【解決手段】患者からの１回の呼び出しに対応して複数の携帯端末に対する報知を順次行うスライド呼出機能を備えたナースコールシステムにおいて、報知処理部２２が携帯端末に対して報知を実行した時刻である報知時刻と、報知が行われた携帯端末からの応答を応答受付部２３が受け付けた時刻である応答時刻とを呼出履歴情報として呼出履歴記憶部１２に記録する履歴記録部２４を備え、呼出履歴情報として記録された報知時刻から応答時刻までの時間を、看護師が患者からの呼び出しを報知により把握してから応答するまでの反応時間として把握することができるようにする。【選択図】図２
2020010272.tif 000002
【特許請求の範囲】
【請求項１】
患者からの１回の呼び出しに対応して複数の携帯端末に対する報知を順次行うスライド呼出機能を備えたナースコールシステムであって、
上記患者からの呼び出しを受け付ける呼出受付部と、
上記呼出受付部が上記呼び出しを受け付けた場合、上記複数の携帯端末に対する報知を順番に実行する報知処理部と、
上記報知処理部により上記報知が行われた携帯端末からの応答を受け付ける応答受付部と、
上記報知処理部が上記携帯端末に対して上記報知を実行した時刻である報知時刻および上記応答受付部が上記応答を受け付けた時刻である応答時刻を呼出履歴情報として記録する履歴記録部とを備えたことを特徴とするナースコールシステム。
【請求項２】
上記履歴記録部は、上記報知処理部が上記報知を実行した携帯端末ごとに上記呼出履歴情報を記録し、上記報知に対する上記応答を行っていない携帯端末については上記報知時刻を記録して上記応答時刻を無記録とし、上記報知に対する上記応答を行った携帯端末については上記報知時刻および上記応答時刻を記録することを特徴とする請求項１に記載のナースコールシステム。
【請求項３】
上記履歴記録部は、上記報知に対する上記応答を行った携帯端末についてのみ上記呼出履歴情報を記録することを特徴とする請求項１に記載のナースコールシステム。
【請求項４】
上記履歴記録部は、上記報知処理部が上記報知を実行した携帯端末ごとに、上記呼出受付部が上記呼び出しを受け付けた時刻である呼出時刻を上記呼出履歴情報として更に記録することを特徴とする請求項１〜３の何れか１項に記載のナースコールシステム。
【請求項５】
上記履歴記録部は、上記スライド呼出機能による呼び出しに関する上記呼出履歴情報と、上記患者からの１回の呼び出しに対応して１つの携帯端末に対する報知を行う通常呼出機能による呼び出しに関する上記呼出履歴情報とを互いに識別可能な状態にして上記呼出履歴情報を記録することを特徴とする請求項１〜４の何れか１項に記載のナースコールシステム。
【請求項６】
上記履歴記録部は、上記スライド呼出機能による呼び出しに関する上記呼出履歴情報については、上記報知時刻および上記応答時刻を記録し、上記通常呼出機能による呼び出しに関する上記呼出履歴情報については、上記呼出受付部が上記呼び出しを受け付けた時刻である呼出時刻および上記応答時刻を記録することを特徴とする請求項５に記載のナースコールシステム。
【発明の詳細な説明】
【技術分野】
【０００１】
本発明は、ナースコールシステムに関し、特に、１回の呼び出しに対応して複数の携帯端末に対する報知を順次行う機能を備えたナースコールシステムに用いて好適なものである。
【背景技術】
【０００２】
一般に、病院や介護施設などでは、ナースコールシステムが用いられている。ナースコールシステムは、病院の患者が医師または看護師のサポートを必要とする際、または介護施設の被介護者が介護師のサポートを必要とする際に、患者や被介護者（以下、単に「患者」と言う）が呼出ボタン等を押下することによって医者、看護師または介護師（以下、単に「看護師」と言う）を呼び出すことができるように成されたシステムである。
【０００３】
従来、携帯端末を採用したナースコールシステムにおいて、例えば、一人の患者からの１回の呼び出しに対応して、複数の携帯端末に対する報知を所定の時間間隔ごとに順番に行い、最初に携帯端末で応答した看護師が患者と通話できるようになされたシステムが提供されている（例えば、特許文献１参照）。以下、このような呼び出し機能を「スライド呼出」という。スライド呼出機能は、例えば一人の患者を複数の看護師でサポートするチームナーシングを行う場合などに有効である。
【０００４】
また、携帯端末を採用したナースコールシステムにおいて、看護師が患者からの呼び出しに対して携帯端末で応答を行った場合に、その呼び出しと応答に関する情報を呼出履歴情報として記録するように成されたナースコールシステムも知られている（例えば、特許文献２参照）。この特許文献２に記載のナースコールシステムでは、呼出履歴情報として、ナースコール親機での受信日時（呼出日時）、患者名、応答日時、看護師名、呼出理由などの情報を記録している。
【先行技術文献】
【特許文献】
【０００５】
【特許文献１】特開２００５−３４９０２０号公報
【特許文献２】特開２００９−１６５０８９号公報
【発明の概要】
【発明が解決しようとする課題】
【０００６】
特許文献２に記載のようにナースコールの呼出日時と応答日時とを呼出履歴情報として記録する場合、患者からの呼び出しに対して何れかの看護師が応答するまでの時間を把握することが可能である。そのため、特許文献２の呼出履歴情報は、病院全体としての看護品質（ナースコールの呼び出しに対する応答の迅速さ）を評価する際の指標としては有用な情報と言える。
【０００７】
しかしながら、特許文献２の呼出履歴情報は、特許文献１に記載されたスライド呼出を行うナースコールシステムにおいて、看護師ごとの看護品質を評価する際の指標としては使えないという問題があった。２番目以降に呼び出される看護師については、患者からの呼び出しが行われてから各看護師の携帯端末に対して報知が行われるまでには呼び出し順に応じたタイムラグがあるため、ナースコールの呼出日時から応答日時までの時間が、その看護師が患者からの呼び出しを把握してから応答するまでの反応時間に相当するものとは言えないからである。
【０００８】
本発明は、このような問題を解決するために成されたものであり、スライド呼出を行うナースコールシステムにおいて、看護師ごとの看護品質を評価する際の指標として有用な情報を得ることができるようにすることを目的とする。
【課題を解決するための手段】
【０００９】
上記した課題を解決するために、本発明では、患者からの１回の呼び出しに対応して複数の携帯端末に対する報知を順次行うスライド呼出機能を備えたナースコールシステムにおいて、スライド呼出により携帯端末に対して報知を実行した時刻である報知時刻と、報知が行われた携帯端末の何れかから応答を受け付けた時刻である応答時刻とを呼出履歴情報として記録するようにしている。
【発明の効果】
【００１０】
上記のように構成した本発明によれば、患者からの呼び出しが行われた場合、スライド呼出による報知に対して応答した看護師の携帯端末について、スライド呼出の順番に応じた報知時刻と、報知に対する応答時刻とが呼出履歴情報として記録される。このため、報知時刻から応答時刻までの時間を、看護師が患者からの呼び出しを報知により把握してから応答するまでの反応時間として把握することが可能となる。これにより、スライド呼出を行うナースコールシステムにおいて、看護師ごとの看護品質を評価する際の指標として有用な情報を得ることができる。
【図面の簡単な説明】
【００１１】
【図１】本実施形態によるナースコールシステムの全体構成例を示す図である。
【図２】本実施形態によるナースコール親機の機能構成例を示すブロック図である。
【図３】本実施形態の呼出履歴記憶部に記憶される呼出履歴情報の一例を模式的に示す図である。
【図４】本実施形態によるナースコール親機の動作例を示すフローチャートである。
【図５】本実施形態の呼出履歴記憶部に記憶される呼出履歴情報の他の例を模式的に示す図である。
【図６】本実施形態の呼出履歴記憶部に記憶される呼出履歴情報の他の例を模式的に示す図である。
【発明を実施するための形態】
【００１２】
以下、本発明の一実施形態を図面に基づいて説明する。図１は、本実施形態によるナースコールシステムの全体構成例を示す図である。なお、ここでは病院に設置されるナースコールシステムを例にとって説明するが、本実施形態のナースコールシステムは、病院に設置されるものに限定されない。例えば、介護施設等に設置される場合にも適用可能である。
【００１３】
図１に示すように、本実施形態のナースコールシステムは、ナースコール親機１、制御機２、廊下灯３、壁埋込形子機４、ハンド形子機５、ハンディナースコール主装置６、構内交換機（ＰＢＸ）７、無線基地局８および携帯端末（例えば、ＰＨＳ端末またはスマートフォン）１０を備えて構成されている。
【００１４】
ナースコール親機１は、患者（ナースコール子機）からの呼び出しに対する応答の操作または患者（ナースコール子機）の呼び出しの操作を行うためのものであり、例えばナースセンタに設置される。ナースコール親機１は、患者からの呼び出しを受けたとき、所定の報知処理を行う。この報知処理は、ナースコール親機１での報知処理のほか、携帯端末１０に対する報知処理を含む。本実施形態のナースコール親機１は、患者からの１回の呼び出しに対応して複数の携帯端末１０に対する報知を順次行うスライド呼出機能を備えている。
【００１５】
制御機２は、ナースコール親機１と廊下灯３との間に配置され、通話やデータの送受信に関する制御を行う。
【００１６】
廊下灯３は、病院の各病室の入口付近外部に設置される。この廊下灯３は、表示装置を備え、病室内の患者名が表示されるとともに、病室内の患者が壁埋込形子機４またはハンド形子機５を用いて看護師の呼び出しを行うと、呼び出しが行われたことが表示されるようになっている。また、廊下灯３は、壁埋込形子機４またはハンド形子機５から送信された呼出信号を、制御機２を介してナースコール親機１に転送する。
【００１７】
壁埋込形子機４は、病室の各ベッドサイドの壁に埋め込み設置される。この壁埋込形子機４は、廊下灯３に接続されている。壁埋込形子機４は、患者が看護師を呼び出すための呼出ボタン、患者が看護師と会話を行う際に使用するマイクおよびスピーカ、ハンド形子機５を接続するための接続端子を備えている。なお、壁埋込形子機４の構成はこれに限定されない。例えば、呼出ボタンを備えないものであってもよい。また、呼び出しに応じて行われている報知処理を停止するための復旧ボタンを備えたものであってもよい。
【００１８】
ハンド形子機５は、壁埋込形子機４に接続される。ハンド形子機５は、患者が看護師を呼び出すための呼出ボタン、患者が看護師と会話を行う際に使用するマイクおよびスピーカを備えている。なお、ハンド形子機５の構成はこれに限定されない。例えば、マイクおよびスピーカを備えないもの（握り押しボタン）であってもよい。
【００１９】
患者が壁埋込形子機４またはハンド形子機５の呼出ボタンを操作すると、呼出信号が廊下灯３および制御機２を介してナースコール親機１に送信されるようになっている。以下では、壁埋込形子機４およびハンド形子機５をまとめてナースコール子機４，５と記す。
【００２０】
ハンディナースコール主装置６は、ＰＢＸ７を介して、看護師が所持する携帯端末１０との間で通話やデータの送受信に関する制御を行う。このハンディナースコール主装置６は、例えば病院内の通信センタに設置され、ナースコール親機１と接続されている。ハンディナースコール主装置６は、ナースコール親機１からの制御に従って、複数の携帯端末１０に対するスライド呼出を実行する。無線基地局８は、携帯端末１０との間で通話やデータの無線通信をするためのものであり、ＰＢＸ７と接続されている。
【００２１】
以上のように構成された本実施形態のナースコールシステムは、患者が使用するナースコール子機４，５からの呼び出しに対し、ナースセンタに設置されたナースコール親機１および看護師が所持する携帯端末１０で所定の報知処理を実行し、これに応じて看護師が応答の操作を行うことが可能に成されている。また、本実施形態のナースコールシステムは、後述するように、以上のような呼び出しから応答までの状況を呼出履歴情報として記録するように成されている。
【００２２】
図２は、本実施形態によるナースコール親機１の機能構成例を示すブロック図である。図２に示すように、ナースコール親機１は、その機能構成として、呼出受付部２１、報知処理部２２、応答受付部２３および履歴記録部２４を備えている。また、ナースコール親機１は、記憶媒体として管理情報記憶部１１および呼出履歴記憶部１２を備えている。
【００２３】
なお、上記各機能ブロック２１〜２４は、ハードウェア構成、ＤＳＰ（Digital Signal Processor）、ソフトウェアの何れによっても実現することが可能である。例えばソフトウェアによって実現する場合、上記各機能ブロック２１〜２４は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００２４】
管理情報記憶部１１は、患者に関する情報（以下、患者情報という）と、看護師に関する情報（以下、看護師情報という）と、ナースコールの呼出先に関する情報（以下、呼出先情報という）とをナースコールに関する管理情報として記憶している。
【００２５】
本実施形態において患者情報は、例えば、患者の氏名、病室の部屋番号、患者が使用しているベッドを識別するベッド番号、患者を識別するための患者ＩＤ、患者が使用するナースコール子機４，５を識別するための子機ＩＤなどの各種情報を含む。また、看護師情報は、例えば、看護師の氏名、看護師を識別するための看護師ＩＤ、担当する患者を識別するための患者ＩＤ、看護師が使用する携帯端末１０を識別するための端末ＩＤなどの各種情報を含む。
【００２６】
呼出先情報は、患者（例えば、患者ＩＤ）と、当該患者からの呼び出しに対応して報知を行う担当看護師（例えば、看護師ＩＤ）と、当該担当看護師が所持する携帯端末１０の端末ＩＤおよび呼出先に関する情報（内線番号など）とを関連付けて記憶したものである。一人の患者を複数の看護師でサポートするチームナーシングを行う場合は、一人の患者と複数の看護師と各看護師が所持する複数の携帯端末１０の呼出先とがグルーピングされて記憶される。
【００２７】
呼出受付部２１は、患者（ナースコール子機４，５）からの呼び出しを受け付ける。すなわち、呼出受付部２１は、ナースコール子機４，５から廊下灯３および制御機２を介して送られてくる呼出信号を受信する。
【００２８】
報知処理部２２は、呼出受付部２１が患者からの呼び出しを受け付けた場合、所定の報知処理を行う。上述したように、この報知処理は、ナースコール親機１での報知処理と、携帯端末１０に対する報知処理とを含む。このうち、ナースコール親機１での報知処理は、以下のようにして行う。
【００２９】
すなわち、報知処理部２２は、呼出受付部２１が受信した呼出信号によって伝えられる子機情報（呼び出しを行ったナースコール子機４，５を特定するための子機ＩＤなど）に基づいて、管理情報記憶部１１を参照することにより、呼び出しを行った患者を特定する。そして、報知処理部２２は、特定した患者に関する患者情報の一部（例えば、氏名、部屋番号、ベッド番号など）を管理情報記憶部１１から読み出し、患者情報のポップアップ画面を生成して図示しないディスプレイに表示させる。また、報知処理部２２は、ナースコール親機１の図示しないスピーカから呼出音を鳴らして看護師に対する報知を行う。
【００３０】
また、携帯端末１０に対する報知処理は、以下のようにして行う。すなわち、報知処理部２２は、上述のようにして特定した患者を担当する看護師の呼出先情報を管理情報記憶部１１から読み出し、当該読み出した呼出先情報に基づいて、チームナーシングのためにグルーピングされた複数の携帯端末１０に対する報知を実行する。本実施形態では、スライド呼出機能によって、複数の携帯端末１０に対する報知を順番に実行する。
【００３１】
具体的には、報知処理部２２は、ハンディナースコール主装置６を介してＰＢＸ７に対し、複数の携帯端末１０に対する報知の実行を指示する呼出信号を所定の時間間隔ごとに順番に送信する。この呼出信号には、報知処理部２２が特定した患者に関する患者情報の一部（例えば、氏名、部屋番号、ベッド番号など）が含まれている。ＰＢＸ７は、ナースコール親機１からハンディナースコール主装置６を介して呼出信号を受信したとき、呼出先として指定されている携帯端末１０に対する呼び出しを実行する。この呼出信号を受信した携帯端末１０は、患者情報をディスプレイに表示させるとともに、スピーカから呼出音を鳴らして看護師に対する報知を行う。
【００３２】
なお、複数の携帯端末１０に対して行う呼び出しの順番は、例えば、管理情報記憶部１１にあらかじめ記憶しておいた順番とすることが可能である。ここで、呼び出しの順番は常に固定としてもよいし、可変としてもよい。順番を可変とする場合、管理情報記憶部１１にあらかじめ記憶されている並び順に沿って、最初に呼び出しを行う携帯端末１０を、患者からの呼び出しがあるたびに変えるようにすることが考えられる。その他、複数の携帯端末１０に対する呼び出しの順番は任意に設計してよい。
【００３３】
ＰＢＸ７からの呼び出しに対して、携帯端末１０にて応答が行われると、応答が行われた携帯端末１０から通話開始要求の応答信号が送られてくる。ＰＢＸ７は、応答信号を受信すると、それ以降は携帯端末１０に対する呼び出し動作を停止し、ハンディナースコール主装置６を介してナースコール親機１に対して応答信号を送信する。この後、ナースコール親機１からハンディナースコール主装置６およびＰＢＸ７を介して携帯端末１０に通話開始承諾の承認信号が送られて、通話が開始される。
【００３４】
応答受付部２３は、報知処理部２２により報知が行われたナースコール親機１または携帯端末１０からの応答を受け付ける。例えば、看護師が患者からの呼び出しに応答するためにナースコール親機１のハンドセットをオフフックすると、オフフックされたことを応答受付部２３が受け付けて、上述した報知処理部２２による報知処理（ナースコール親機１での報知処理および携帯端末１０に対する報知処理）を停止させる。
【００３５】
また、看護師が患者からの呼び出しに応答するために携帯端末１０をオフフックすると、応答信号がハンディナースコール主装置６を介してナースコール親機１に送信され、応答受付部２３にて受信される。応答受付部２３は、この応答信号を受けて、上述の報知処理部２２による報知処理（ナースコール親機１での報知処理および携帯端末１０に対する報知処理）を停止させる。
【００３６】
報知処理部２２は、応答受付部２３が応答信号を受け付けたか否かを監視しながら、複数の携帯端末１０に対するスライド呼出を実行する。すなわち、報知処理部２２がある携帯端末１０を呼出先に指定して呼び出しを行った後（すなわち、ある携帯端末１０に対する報知の実行を指示する呼出信号を、ハンディナースコール主装置６を介してＰＢＸ７に対して送信した後）、所定の時間以内に応答受付部２３が応答信号を受け付けなかった場合、報知処理部２２はその呼び出し動作を停止し、次の携帯端末１０を呼出先に指定して呼び出しを行う。以下同様にして、報知処理部２２は、応答受付部２３が応答信号を受け付けるまで複数の携帯端末１０に対するスライド呼出を実行する。
【００３７】
履歴記録部２４は、報知処理部２２が携帯端末１０に対して報知を実行した時刻である報知時刻（携帯端末１０に対する報知の実行を指示する呼出信号を送信した時刻）と、応答受付部２３が応答を受け付けた時刻である応答時刻とを呼出履歴情報として呼出履歴記憶部１２に記録する。
【００３８】
すなわち、報知処理部２２は、携帯端末１０に対する報知を実行すると、報知を行った携帯端末１０の端末ＩＤを履歴記録部２４に通知する。報知処理部２２は、スライド呼出によって複数の携帯端末１０に対する報知を順番に実行するたびに、この通知を行う。履歴記録部２４は、報知処理部２２から通知を受けるごとに、そのときの時刻を携帯端末１０ごとの報知時刻として呼出履歴記憶部１２に記録する。
【００３９】
このとき履歴記録部２４は、携帯端末１０の端末ＩＤ、あるいはこの端末ＩＤから管理情報記憶部１１を参照することによって得られる看護師ＩＤまたは看護師の氏名などを報知時刻と共に呼出履歴記憶部１２に記録する。なお、看護師ＩＤまたは看護師の氏名は、報知処理部２２にて特定してもよいし、履歴記録部２４にて特定してもよい。
【００４０】
また、応答受付部２３は、携帯端末１０から応答信号を受信すると、そのことを報知処理部２２に通知するとともに、受信した応答信号によって伝えられる携帯端末１０の端末ＩＤを履歴記録部２４に通知する。報知処理部２２は、応答受付部２３からの通知を受けて、ナースコール親機１および携帯端末１０に対する報知処理を停止する。また、履歴記録部２４は、応答受付部２３から通知を受けた時刻を応答時刻として呼出履歴記憶部１２に記録する。なお、スライド呼出の場合、１以上の呼び出しに対して応答する携帯端末１０は１つのみである。よって、応答時刻に関しては、応答を行った携帯端末１０についてのみ記録される。
【００４１】
図３は、呼出履歴記憶部１２に記憶される呼出履歴情報の一例を模式的に示す図である。図３に示す例では、報知を行った携帯端末１０を所持する看護師の氏名、報知時刻（日付を含む）および応答時刻（日付を含む）を各レコードに記録するようにしている。ここで、履歴記録部２４は、報知処理部２２が報知を実行した携帯端末１０ごとに各レコードの呼出履歴情報を記録し、報知に対する応答を行っていない携帯端末１０については報知時刻を記録して応答時刻を無記録とし、報知に対する応答を行った携帯端末１０については報知時刻および応答時刻を記録する。
【００４２】
図３は、スライド呼出によって３人の看護師Ａ，Ｂ，Ｃに対して順番に呼び出しを行い、１番目および２番目に報知した携帯端末１０に対応する看護師Ａ，Ｂは応答せず、３番目に報知した携帯端末１０に対応する看護師Ｃが応答したときに記録される呼出履歴情報を示している。すなわち、報知処理部２２が１番目の看護師Ａに対応する携帯端末１０に報知を行った時点で、呼出履歴記憶部１２に記憶される呼出履歴情報に１つのレコードＲ１が作成され、そのレコードＲ１に看護師名と報知時刻とが記録される。この１番目の看護師Ａは所定の時間以内（図３の例では３０秒以内）に応答をしなかったため、レコードＲ１には応答時刻が記録されていない。
【００４３】
次いで、１番目の看護師Ａに対応する携帯端末１０に報知を行ってから応答なく所定の時間が経過した時点で、報知処理部２２により２番目の看護師Ｂに対応する携帯端末１０に対する報知が行われる。この時点で、呼出履歴記憶部１２に記憶される呼出履歴情報に１つのレコードＲ２が作成され、そのレコードＲ２に看護師名と報知時刻とが記録される。この２番目の看護師Ｂも所定の時間以内に応答をしなかったため、レコードＲ２には応答時刻が記録されていない。
【００４４】
次いで、２番目の看護師Ｂに対応する携帯端末１０に報知を行ってから応答なく所定の時間が経過した時点で、報知処理部２２により３番目の看護師Ｃに対応する携帯端末１０に対する報知が行われる。この時点で、呼出履歴記憶部１２に記憶される呼出履歴情報に１つのレコードＲ３が作成され、そのレコードＲ３に看護師名と報知時刻とが記録される。その後、この３番目の看護師Ｃは所定の時間以内に応答をしたため、その応答時刻がレコードＲ３に追加して記録される。
【００４５】
図４は、上記のように構成した本実施形態によるナースコール親機１の動作例を示すフローチャートである。図４に示すフローチャートは、患者からの１回の呼び出しに対して実行される動作例を示しており、患者からの呼び出しが行われるたびに図４に示す動作が実行される。
【００４６】
まず、呼出受付部２１が患者からの呼び出しを受け付けると（ステップＳ１）、報知処理部２２は、ナースコール親機１での報知処理を実行するとともに（ステップＳ２）、呼出信号に基づいて管理情報記憶部１１を参照することによって特定される担当看護師に対応する複数の携帯端末１０のうち、ｉ番目（最初はｉ＝１）の携帯端末１０に対する報知処理を実行する（ステップＳ３）。このとき、履歴記録部２４は、報知を行った携帯端末１０の端末ＩＤの通知を報知処理部２２から受けて、呼出履歴記憶部１２に記憶される呼出履歴情報のレコードを１つ作成し、端末ＩＤから特定される看護師ＩＤまたは看護師名と報知時刻とを当該レコードに記録する（ステップＳ４）。
【００４７】
次に、応答受付部２３は、応答を受け付けたか否かを判定する（ステップＳ５）。ここで、応答受付部２３が応答を受け付けていない場合、報知処理部２２は、携帯端末１０に対する報知処理を開始した時点から、応答受付部２３から応答があった旨の通知を受けることなく所定の時間が経過したか否かを判定する（ステップＳ６）。所定の時間がまだ経過していない場合、処理はステップＳ５に戻る。
【００４８】
一方、所定の時間が経過した場合、報知処理部２２は、ｉ番目の携帯端末１０に対する報知処理を停止する一方、ｉ＋１番目の携帯端末１０に対する報知処理を実行する（ステップＳ７）。その後、処理はステップＳ４に戻る。ここで、履歴記録部２４は、新たに報知を行ったｉ＋１番目の端末ＩＤの通知を報知処理部２２から受けて、呼出履歴記憶部１２に記憶される呼出履歴情報のレコードを１つ作成し、端末ＩＤから特定される看護師ＩＤまたは看護師名と報知時刻とを当該レコードに記録する。
【００４９】
以上のようなステップＳ４〜Ｓ７の処理を、ナースコール親機１または何れかの携帯端末１０において応答が行われるまで繰り返し実行する。そして、ステップＳ５で応答受付部２３が応答を受け付けた場合、応答受付部２３は、それが携帯端末１０からの応答か否かを判定する（ステップＳ８）。ここで、携帯端末１０からの応答ではない、つまりナースコール親機１からの応答であると判定された場合、報知処理部２２は、応答受付部２３から応答があった旨の通知を受けて、ナースコール親機１および携帯端末１０に対する報知処理を停止する（ステップＳ１０）。これにより、図４に示すフローチャートの処理を終了する。
【００５０】
一方、携帯端末１０からの応答であると応答受付部２３にて判定された場合、履歴記録部２４は、応答した携帯端末１０の端末ＩＤの通知を応答受付部２３から受けて、当該端末ＩＤに対応する呼出履歴情報が記録されているレコードに応答時刻を追加して記録する（ステップＳ９）。そして、報知処理部２２は、応答受付部２３から応答があった旨の通知を受けて、ナースコール親機１および携帯端末１０に対する報知処理を停止する（ステップＳ１０）。これにより、図４に示すフローチャートの処理を終了する。
【００５１】
以上詳しく説明したように、本実施形態では、患者からの１回の呼び出しに対応して複数の携帯端末１０に対する報知を順次行うスライド呼出機能を備えたナースコールシステムにおいて、スライド呼出により携帯端末１０に対して報知を実行した時刻である報知時刻と、報知が行われた携帯端末１０の何れかから応答を受け付けた時刻である応答時刻とを呼出履歴情報として呼出履歴記憶部１２に記録するようにしている。
【００５２】
このように構成した本実施形態によれば、患者からの呼び出しが行われた場合、スライド呼出による報知に対して応答した看護師の携帯端末１０について、スライド呼出の順番に応じた報知時刻と、報知に対する応答時刻とが呼出履歴情報として記録されるので、報知時刻から応答時刻までの時間を、看護師が患者からの呼び出しを報知により把握してから応答するまでの反応時間として把握することが可能となる。これにより、スライド呼出を行うナースコールシステムにおいて、看護師ごとの看護品質を評価する際の指標として有用な情報を得ることができる。
【００５３】
なお、上記実施形態では、報知処理部２２が報知を実行した携帯端末１０ごとに呼出履歴情報を記録し、報知に対する応答を行っていない携帯端末１０については報知時刻を記録して応答時刻を無記録とし、報知に対する応答を行った携帯端末１０については報知時刻および応答時刻を記録する例について説明したが（図３参照）、本発明はこれに限定されない。例えば、履歴記録部２４は、報知に対する応答を行った携帯端末１０についてのみ呼出履歴情報を記録するようにしてもよい。すなわち、図３に示した例において、応答を行っていない看護師Ａ，Ｂの携帯端末１０に関するレコードＲ１，Ｒ２の呼出履歴情報は記録せず、応答を行った看護師Ｃの携帯端末１０に関するレコードＲ３の呼出履歴情報のみを記録するようにしてもよい。
【００５４】
また、上記実施形態において、履歴記録部２４は、報知処理部２２が報知を実行した携帯端末１０ごとに、呼出受付部２１が患者からの呼び出しを受け付けた時刻である呼出時刻を呼出履歴情報として更に記録するようにしてもよい。図５は、この場合に呼出履歴記憶部１２に記憶される呼出履歴情報の一例を模式的に示す図である。図５に示す例では、報知を行った看護師Ａ，Ｂ，Ｃの携帯端末１０に関する呼出履歴情報の各レコードＲ１，Ｒ２，Ｒ３のそれぞれに、図３に示した看護師名、報知時刻および応答時刻の他に呼出時刻（日付を含む）が更に記録されている。各レコードＲ１，Ｒ２，Ｒ３の呼出時刻は何れも同じ値である。
【００５５】
このように、呼出履歴情報として呼出時刻を更に記録することにより、報知時刻と応答時刻との組み合わせによって、看護師ごとの看護品質を評価する際の指標を得ることができるとともに、呼出時刻と応答時刻との組み合わせによって、病院全体としての看護品質を評価する際の指標を得ることができる。
【００５６】
なお、呼出時刻を記録する場合、呼出受付部２１が受け付けた呼出信号に基づいて管理情報記憶部１１を参照することによって特定した患者の患者情報（例えば、患者の氏名）を呼出時刻と共に呼出履歴記憶部１２に記録するようにしてもよい。
【００５７】
また、上記実施形態では、患者からの呼び出しに対応して複数の携帯端末１０に対するスライド呼出を行う場合についてのみ説明したが、患者からの１回の呼び出しに対応して１つの携帯端末１０に対してのみ報知する通常呼出が行われる場合もある。そこで、履歴記録部２４は、スライド呼出機能による呼び出しに関する呼出履歴情報と、通常呼出機能による呼び出しに関する呼出履歴情報とを互いに識別可能な状態にして呼出履歴情報を記録するようにしてもよい。
【００５８】
例えば、スライド呼出機能に関する呼出履歴情報に対して所定のフラグ情報を付加して記録することが考えられる。あるいは、履歴記録部２４は、図６に示すように、スライド呼出機能による呼び出しに関するレコードＲ１〜Ｒ３の呼出履歴情報については、報知時刻および応答時刻を記録し、通常呼出機能による呼び出しに関するレコードＲ４の呼出履歴情報については、呼出時刻および応答時刻を記録することにより、スライド呼出機能に関する呼出履歴情報と通常呼出機能に関する呼出履歴情報とを互いに識別可能な状態にしてもよい。
【００５９】
また、上記実施形態では、スライド呼出の実行時において、同時に報知する携帯端末１０の数が１つである例について説明したが、同時に報知する携帯端末１０の数が複数であってもよい。この場合、同時に報知した複数の携帯端末１０の履歴記録情報も複数のレコードに分けて記録する。複数の携帯端末１０に対して同時に報知した場合でも、応答し得るのはその中の１つの携帯端末１０のみであるから、どの携帯端末１０から応答があったかを識別できるようにするために、レコードを分けて記録するのが好ましい。
【００６０】
また、上記実施形態では、スライド呼出の実行をナースコール親機１にて制御する例について説明したが、本発明はこれに限定されない。例えば、ナースコール親機１からの指示を受けてハンディナースコール主装置６がスライド呼出の実行を制御するようにしてもよい。この場合、ナースコール親機１における呼出履歴記憶部１２に対する呼出履歴情報の記録は、ナースコール親機１とハンディナースコール主装置６とが連携して必要な情報を授受することによって行う。
【００６１】
また、上記実施形態では、スライド呼出の実行時において、次の携帯端末１０を報知させる際に、現在報知を行っている携帯端末１０の報知を停止させるようにしているが、本発明はこれに限定されない。例えば、スライド呼出の実行時に次の携帯端末１０を報知させる際に、それよりも前に報知を行っていた携帯端末１０の報知を継続させるようにしてもよい。
【００６２】
また、上記実施形態では、ナースコール親機１にて応答した場合に呼出履歴情報として応答時刻を記録していないが、本発明はこれに限定されない。例えば、ナースコール親機１０にて応答した場合には、看護師名および報知時刻を記録せず、呼出時刻および応答時刻のみを呼出履歴情報として記録するようにしてもよい。
【００６３】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００６４】
１  ナースコール親機
４  壁埋込形子機
５  ハンド形子機
１０  携帯端末
１２  呼出履歴記憶部
２１  呼出受付部
２２  報知処理部
２３  応答受付部
２４  履歴記録部
【図１】
2020010272.tif 000003
【図２】
2020010272.tif 000004
【図３】
2020010272.tif 000005
【図４】
2020010272.tif 000006
【図５】
2020010272.tif 000007
【図６】
2020010272.tif 000008